(57)【要約】【課題】容易に扁平型電池の交換が可能な電池ホルダの提供。【解決手段】平板状の底版部４０と、底版部４０の周縁に立ち上げた周壁４１とを有し、内部に扁平型電池５を着脱可能に収容するハウジング２１と、ハウジング２１の底版部４０より突出して扁平型電池の一方の端面５ａに弾性的に接触する端面側接触端子２２と、ハウジング２１の周壁内周より突出して扁平型電池の周面５ｂに弾性的に接触する周面側接触端子２３とを備え、ハウジング２１は、扁平型電池の周面５ｂに対し外向きに弾性変形可能な可変弾性片５０と、可変弾性片５０に支持され、扁平型電池の周縁に沿った形状の爪支持部５２と、爪支持部５２の扁平型電池側より突出し、扁平型電池の他方の端面に当接する複数の係止爪５３，５３とを一体に備える。【選択図】    図１
2004247142.tif 000002
【特許請求の範囲】
【請求項１】
平板状の底版部と、該底版部の周縁に立ち上げた周壁とを有し、内部に扁平型電池を着脱可能に収容するハウジングと、該ハウジングの底版部より突出して前記扁平型電池の一方の端面に弾性的に接触する端面側接触端子と、前記ハウジングの周壁内周より突出して前記扁平型電池の周面に弾性的に接触する周面側接触端子とを備えた電池ホルダにおいて、
前記ハウジングは、前記扁平型電池の周面に対し外向きに弾性変形可能な可変弾性片と、該可変弾性片に支持され、前記扁平型電池の周縁に沿った形状の爪支持部と、該爪支持部の扁平型電池側より突出し、前記扁平型電池の他方の端面に当接する複数の係止爪とを一体に備えた請求項１に記載の電池ホルダ。
【請求項２】
可変弾性片は、ハウジングの周壁に溝を形成することにより形成された請求項１に記載の電池ホルダ。
【請求項３】
可変弾性片は、ハウジングの底版部に溝を形成することにより形成された請求項１又は２に記載の電池ホルダ。
【発明の詳細な説明】
【０００１】
【発明の属する技術分野】
本発明は、主にビデオカメラ等の電子機器のバックアップ等に使用されるリチウムバッテリ等の扁平型電池を収容し、プリント配線基板等に電気的に接続させる電池ホルダに関する。
【０００２】
【従来の技術】
一般に、ビデオカメラ等の電子機器では、内部時計の継続動作や、メモリーのバックアップ用にリチウムバッテリ等の円盤状の扁平型電池を、主電源とは別に備えており、このような扁平型電池は、図９に示す如き電池ホルダを用いて電子機器のプリント配線基板上に装着されるようになっている（例えば、特許文献１を参照）。
【０００３】
電池ホルダ１は、平板状の底版部２及び底版部２の周縁に立ち上げた周壁部３を有するハウジング４と、底版部より突出し、扁平型電池５の一端面５ａに弾性的に接触する端面側接触端子６と、扁平型電池５の周面５ｂに弾性的に接触する周面側接触端子７とを備えるとともに、ハウジング４の上面に内側に突出した前方鍔部８及び後方鍔部９が一体に形成され、端面側接触端子６及び周面側接触端子７の接続片６ａ，７ａがそれぞれプリント配線基板１０のパターン上に半田等を介して接続されるようになっている。
【０００４】
尚、扁平型電池５は、図１０に示すように、円盤状に形成され、一方の端面５ｃと周面５ｂとは金属板により一体に形成されて正極をなし、他方の端面５ａを構成する金属板はこの正極とは絶縁されて負極をなしている。
【０００５】
扁平型電池５をこの電池ホルダ１に装填するには、前後方鍔部の間に扁平型電池５を前方鍔部８に向けて斜めにスライドさせながら、端面側接触端子６及び周面側接触端子７の弾性に抗して扁平型電池５を底版部２に対して平行になるまで挿入した後、扁平型電池５を後方鍔部９側へ移動させる。
【０００６】
このようにすることによって、扁平型電池５は、端面側接触端子６及び周面側接触端子７と弾性的に接触し、その弾性により、扁平型電池５の他端面５ｃが前後方鍔部８，９の内側面に当接し、端面側接触端子６及び周面側接触端子７と電気的に接続されるとともに、抜け止めされるようになっている。
【０００７】
【特許文献１】
特公平３−４０４６４号公報（第２図、第３図、第４図）
【０００８】
【発明が解決しようとする課題】
しかし、上述のような従来の技術では、電池の交換作業の際に扁平型電池をハウジング内でスライドさせる作業を伴うため、作業が煩雑となり作業効率が悪いという問題があり、また、扁平型電池のスライド量を確保するため電池ホルダ全体の形状が大きくなってしまい、プリント配線基板上でスペースをとり他の部品の設置が制約されるという問題がある。
【０００９】
また、扁平型電池の取り外し作業では、部品が小さいので針状の工具やピンセット等を用いなければ作業がし辛いという問題があった。
【００１０】
本発明は、このような従来の技術の状況を鑑み、小型で、且つ容易に扁平型電池の交換が可能な電池ホルダの提供を目的とする。
【００１１】
【課題を解決するための手段】
上述の如き従来の問題を解決し、所期の目的を達成するための請求項１の発明は、平板状の底版部と、該底版部の周縁に立ち上げた周壁とを有し、内部に扁平型電池を着脱可能に収容するハウジングと、該ハウジングの底版部より突出して前記扁平型電池の一方の端面に弾性的に接触する端面側接触端子と、前記ハウジングの周壁内周より突出して前記扁平型電池の周面に弾性的に接触する周面側接触端子とを備えた電池ホルダにおいて、前記ハウジングは、前記扁平型電池の周面に対し外向きに弾性変形可能な可変弾性片と、該可変弾性片に支持され、前記扁平型電池の周縁に沿った形状の爪支持部と、該爪支持部の内周面より突出し、前記扁平型電池の他方の端面に当接する複数の係止爪とを一体に備えたことを特徴とする。
【００１２】
このように構成することによって、好適に扁平型電池を保持できるとともに、特別な工具を必要とせず指等で容易に扁平型電池の交換作業が行えるようになり、また、電池をスライドさせるスペースが必要ないので小型化が可能である。
【００１３】
請求項２の発明は、請求項１の構成に加え、可変弾性片が、ハウジングの周壁に溝を形成することにより形成されたことを特徴とする。
【００１４】
このように構成することによって、好適に可変弾性片を設けることができる。
【００１５】
請求項３の発明は、請求項１又は２の構成に加え、可変弾性片が、ハウジングの底版部に溝を形成することにより形成されたことを特徴とする。
【００１６】
このように構成することによって、好適に可変弾性片を設けることができる。
【００１７】
【発明の実施の形態】
次に、本発明に係る電池ホルダの実施の形態を図について説明する。尚、上述の従来例と同一の部分には、同一符号を付して説明を省略する。
【００１８】
図１〜図３は電池ホルダをプリント配線基板に設置した状態を示し、符号２０は電池ホルダ、符号５は扁平型電池、１０はプリント配線基板である。
【００１９】
扁平型電池５は、図１０に示す従来例と同様に、円盤状に形成され、一方の端面５ｃと周面５ｂとは金属板により一体に形成されて正極をなし、他方の端面５ａを構成する金属板はこの正極とは絶縁されて負極をなしている。
【００２０】
電池ホルダ２０は、扁平型電池５を収容するハウジング２１と、扁平型電池の端面５ａに接触する端面側接触端子２２と、扁平型電池の周面５ｂに接触する周面側接触端子２３とを備え、端面側接触端子２２及び周面側接触端子２３の接続部がプリント配線基板上のパターンに半田等を介して接続されることによって、電池ホルダ２０がプリント配線基板１０に対し、電気的且つ力学的に接続されるようになっている。
【００２１】
端面側接触端子２２は、図４に示すように、扁平型電池５の一端面、即ちマイナス電極側端面５ａに接触する弾性接触部２４と、ハウジング２１に固定される取付部２５と、プリント配線基板１０のパターンに半田等を介して接続される接続部２６とを備え、これらが導電性金属材を折曲加工することにより一体に形成されている。
【００２２】
弾性接触部２４は、断面山型形状の一対の弾性片２７，２７と、両弾性片２７，２７の端部を相互に連結する連結片２８，２８とを備え、弾性片２７の山型の頂上部に扁平型電池のマイナス電極側端面５ａに接触する接点部２９が形成されている。
【００２３】
連結片２８は、円弧状に形成され、その一部がハウジング２１の底版部に接触するようになっている。
【００２４】
取付部２５は、一対の把持片３０ａ，３０ｂを有する断面コ字状に形成され、その一方の把持片３０ａの端部が接続片３１を介して弾性接触部２４の一方の連結片２８と連結されている。
【００２５】
また、他方の把持片３０ｂの両側縁には、ハウジング２１に形成された圧入溝に圧入される圧入片３２，３２が一体に形成され、両把持片３０ａ，３０ｂでハウジング２１の肉厚部を把持するとともに、圧入片３２をハウジング２１に形成された圧入溝に圧入することにより、端面側接触端子２２をハウジング２１に固定するようになっている。
【００２６】
接続部２６は、平板状に形成され、取付部２５の把持片３０ｂの端部に連続して形成され、この接続部２６を半田等を介してプリント配線基板１０のパターン上に接続することによって、電池ホルダ２０全体がプリント配線基板１０上に取り付けられるようになっている。
【００２７】
周面側接触端子２３は、図５に示すように、扁平型電池の周面５ｂ、即ちプラス電極に接触する弾性接触部３３と、ハウジング２１に固定される取付部３４と、プリント配線基板のパターンに半田等を介して接続される接続部３５とを備え、これらが導電性金属材を折曲加工することにより一体に形成されている。
【００２８】
取付部３５は、一対の把持片３６ａ，３６ｂを有する断面コ字状に形成され、一方の把持片３６ｂの両側縁には、ハウジング２１に形成された圧入溝に圧入される圧入片３７，３７が一体に形成され、両把持片３６ａ，３６ｂでハウジング２１の肉厚部を把持するとともに、圧入片３７，３７をハウジング２１の圧入溝に圧入することにより、端面側接触端子２３をハウジング２１に固定するようになっている。
【００２９】
弾性接触部３３は、取付部３５の他方の把持片３６ａの両側縁より突出した一対の弾性片３８，３８を備え、弾性片３８の先端部に扁平型電池の周面５ｂに接触する接点部３９が形成されている。
【００３０】
また、弾性片３８は、円弧状に形成され、先端部に行くに従って、ハウジング２１の周壁部内面と弾性片３８との間の隙間が広くなるようになっており、こうすることによって、弾性片先端の接触部３９が扁平型電池の周面５ｂに弾性的に接触するようになっている。
【００３１】
接続部３５は、平板状に形成され、取付部３５の把持片３６ｂの端部に連続して形成され、この接続部３５を半田等を介してプリント配線基板１０のパターン上に接続することによって、電池ホルダ２０全体がプリント配線基板１０上に取り付けられるようになっている。
【００３２】
ハウジング２１は、合成樹脂材等の絶縁材をもって一体成形され、平板状の底版部４０と、底版部４０の周縁より立ち上げた形状の周壁部４１とを備え、底版部４０及び周壁部４１に囲まれた部分に扁平型電池５が収容される電池収容部４２が形成されている。
【００３３】
底版部４０の内側面、即ち電池収容部４２の底面には、小判型の保持溝４３が形成され、この保持溝４３に端面側接続端子２２の連結片２８がスライド自在に嵌り込むようになっている。
【００３４】
この保持溝４３を設けることによって、電池収容部４２に扁平型電池５を装填し、弾性片２７，２７がマイナス電極側端面５ａに押圧されると、弾性片２７の山型が拡開し、連結片２８が保持溝４３に沿ってスライドし、ある程度スライドすると連結片２８は保持溝４３の縁に当接する。そして、弾性片２７は、その両端、即ち両連結片２８，２８をハウジングの底版部４０に支持され、所定の接触圧により扁平型電池５と接触するようになっている。
【００３５】
また、保持溝４３の中央部分には、逃げ用凹部４４が形成され、弾性片２７が変形しても、ハウジング底版部４０には接触しないようになっている。
【００３６】
尚、底版部４０の裏面には、プリント配線基板１０に形成された位置決め用穴に挿入され、プリント配線基板１０に対する電池ホルダ２０の位置決めを行う為の突起４５が形成されている。
【００３７】
周壁部４１には、端面側接触端子２２及び周面側接触端子２３を取り付ける為の取付部４６，４６が相互に対向した位置に形成されている。
【００３８】
この取付部４６には、端面側接触端子２２及び周面側接触端子２３の把持片によって把持される把持用肉厚部４７と、把持用肉厚部４７の一端面と連続したスリット状の圧入溝４８とが形成されている。
【００３９】
また、このハウジング２１の両側部には、底版部４０から周壁部４１に亘って溝部４９，４９が設けられ、その溝部４９，４９に挟まれて可変弾性片５０が形成され、また、周壁部４１の上端部に溝５１，５１が設けられ、その溝５１，５１に挟まれて、可変弾性片５０に一体に支持された爪支持部５２が形成されている。
【００４０】
可変弾性片５０は、底版部４０より水平方向に一体に突出した水平梁部５０ａと、水平梁部５０ａの端部より上向きに突出した垂直梁部５０ｂとが一体に形成され、底版部４０に支持された水平梁部５０ａの基端部を基点として弾性変形できるようになっている。
【００４１】
爪支持部５２は、扁平型電池５の外周に沿った形状に形成され、その周方向長さは指が係る程度の長さとなっている。また、この爪支持部５２の扁平型電池側、即ち内側面の両端部には、それぞれ係止爪５３，５３が一体に突設されている。
【００４２】
係止爪５３は、下側が厚いテーパ状に形成され、下面が扁平型電池の端面５ｃに当接して抜け止めするようになっている。
【００４３】
この電池ホルダ２０に扁平型電池５を装填するには、扁平型電池５の一端面、即ちマイナス電極面５ａをハウジング２１の底版部４０に対向させ、そのまま他端面、即ちプラス電極側端面５ｃを押して、端面側接触端子２２の弾性に抗しながら電池収容部４２に扁平型電池５を押し込む。
【００４４】
このとき、係止爪５３，５３のテーパ面に扁平型電池５の周面５ｂが接触し、係止爪５３、爪支持部５２を可変弾性片５０の弾性に抗して半径方向に押し広げる。
【００４５】
そして、図３に示すように、扁平型電池５が電池収容部４２に収容されると、可変弾性片５０の弾性により係止爪５３、爪支持部５２が元の位置に回復するとともに、扁平型電池５が端面側接触端子２２、即ち弾性接触部２４の弾性片２７，２７の弾性力により付勢されることにより、係止爪５３，５３の下面に扁平型電池のプラス電極側端面５ｃが当接して抜け止めされ、電池ホルダ２０に扁平型電池が装填される。
【００４６】
一方、電池ホルダ２０より扁平型電池５を取り外すには、爪支持部５２に指を当て、軽く半径方向に押し広げることによって、係止爪５３がプラス電極側端面５ｃより外れるとともに、扁平型電池５が端面側接触端子２２の弾性力により押し出されるようになっている。
【００４７】
尚、可変弾性片を上述の実施例の他、図８に示すように、ハウジングの周壁部４１の周方向に溝６０を形成することにより、可変弾性片６１を形成してもよい。この場合、可変弾性片６１の端部が爪支持部を形成するようになっている。
【００４８】
また、端面側接触端子は、上述の実施例に示したものの他、弾性片の基端側のみを支持させた片持ち梁型のものを用いてもよい。
【００４９】
【発明の効果】
上述のように、本発明に係る電池ホルダは、ハウジングが扁平型電池の周面に対し外向きに弾性変形可能な可変弾性片と、可変弾性片に支持され、扁平型電池の周縁に沿った形状の爪支持部と、爪支持部の扁平型電池側より突出し、扁平型電池の他方の端面に当接する複数の係止爪とを一体に備えたことによって、扁平型電池を好適に保持することができるとともに、特別な工具を必要とせず指だけで容易に扁平型電池の交換が可能となり、また、電池をスライドさせるスペースが必要ないので小型化が可能となる。
【００５０】
また、これらが合成樹脂による一体成形により形成されるのでコストを低減し、安価に製造することができる。
【００５１】
また、可変弾性片が、ハウジングの底版部及び／又は周壁に溝を形成することにより形成されたことによって、単純な構造で好適に可変弾性片を設けることができ、安価に製造することができる。
【図面の簡単な説明】
【図１】本発明に係る電池ホルダの実施の一例を示す平面図である。
【図２】同上のＡ−Ａ線断面図である。
【図３】同上の扁平型電池を収容した状態を示す断面図である。
【図４】（ａ）は図１中の端面側接続端子を示す平面図、（ｂ）は同正面図である。
【図５】（ａ）は同上の周面側接触端子を示す平面図、（ｂ）は同正面図である。
【図６】（ａ）は図１中のハウジングを示す平面図、（ｂ）は同側面図、（ｃ）は同底面図である。
【図７】図６中のハウジングを示す部分破断斜視図である。
【図８】同上のハウジングの他の一例を示す部分破断斜視図である。
【図９】従来の電池ホルダの一例を示す斜視図である。
【図１０】（ａ）は扁平型電池を示す上から見た斜視図、（ｂ）は同下から見た斜視図である。
【符号の説明】
２０  電池ホルダ
２１  ハウジング
２２  端面側接触端子
２３  周面側接触端子
２４  弾性接触部
２５  取付部
２６  接続部
２７  弾性片
２８  連結片
２９  接点部
３０  把持片
３１  接続片
３２  圧入片
３３  弾性接触部
３４  取付部
３５  接続部
３６  把持片
３７  圧入片
３８  弾性片
３９  接点部
４０  底版部
４１  周壁部
４２  電池収容部
４３  保持溝
４４  逃げ用凹部
４５  突起
４６  取付部
４７  把持用肉厚部
４８  圧入溝
４９  切欠部
５０  可変弾性片
５０ａ  水平梁部
５０ｂ  垂直梁部
５１  切欠
５２  爪支持部
５３  係止爪
６０  溝
６１  可変弾性片
【図１】
2004247142.tif 000003
【図２】
2004247142.tif 000004
【図３】
2004247142.tif 000005
【図４】
2004247142.tif 000006
【図５】
2004247142.tif 000007
【図６】
2004247142.tif 000008
【図７】
2004247142.tif 000009
【図８】
2004247142.tif 000010
【図９】
2004247142.tif 000011
【図１０】
2004247142.tif 000012